【手続補正書】
【提出日】平成21年8月19日(2009.8.19)
【手続補正１】
【補正対象書類名】特許請求の範囲
【補正対象項目名】全文
【補正方法】変更
【補正の内容】
【特許請求の範囲】
【請求項１】
画像を表示画面に表示する表示手段と、
１以上の検索情報をそれぞれ有する複数の画像を記憶する記憶手段と、
前記記憶手段が記憶している前記複数の画像の中から、特定の検索情報を有する第１の画像群を検索する第１の検索手段と、
前記表示手段に、前記第１の検索手段が検索した前記第１の画像群を前記表示画面に表示させる第１の表示制御手段と、
前記記憶手段が記憶している前記複数の画像の中から、第１の表示制御手段が前記表示画面に表示している前記第１の画像群のうちで前記表示画面の中央に表示される主画像が有する検索情報を有する第２の画像群を検索する第２の検索手段と、
前記表示手段に、前記第２の検索手段が検索した前記第２の画像群を前記表示画面に表示させる第２の表示制御手段と、
を備えること特徴とする画像検索装置。
【請求項２】
前記検索情報とは、
画像の撮影条件を示す情報、画像のデータ量を示す情報、画像の色を示す情報、画像に写る被写体の情報、画像の撮影時に設定されていた撮影モードを示す情報、のうちの少なくとも１つを含む
こと特徴とする請求項１に記載の画像検索装置。
【請求項３】
複数の検索情報の中から第１の検索情報を選択する第１の検索条件選択手段と、
前記複数の検索情報の中から前記第１の検索条件選択手段が選択した前記第１の検索条件を除いた検索情報である第２の検索情報を選択する第２の検索条件選択手段と、をさらに備え、
前記第１の検索手段は、
前記記憶手段が記憶している前記複数の画像の中から、前記第１の検索条件選択手段が選択した前記第１の検索情報を有する画像群を、前記第１の画像群として検索し、
前記第２の検索手段は、
前記記憶手段が記憶している前記複数の画像の中から、前記第２の検索条件選択手段が選択した前記第２の検索情報を有する画像群を、前記第２の画像群として検索する
こと特徴とする請求項１に記載の画像検索装置。
【請求項４】
前記主画像を当該主画像以外の画像の表示形態とは異なる表示形態で前記表示画面に表示させる前記第３の表示制御手段を、
さらに備えることを特徴とする請求項１に記載の画像検索装置。
【請求項５】
前記第２の画像群に含まれる各画像が前記表示画面に表示された表示履歴に応じた表示形態で、前記第２の画像群に含まれる各画像を前記表示画面に表示させる第４の表示制御手段を、
さらに備えることを特徴とする請求項１に記載の画像検索装置。
【請求項６】
前記表示履歴とは、
前記第２の画像群に含まれる各画像が前記表示画面に過去に表示された回数、または、前記第２の画像群に含まれる各画像が前記表示画面に前回表示された時点からの経過時間の少なくとも一方を含む
ことを特徴とする請求項１に記載の画像検索装置。
【請求項７】
前記第４の表示制御手段は、
前記第２の画像群に含まれる各画像が前記表示画面に過去に表示された回数に比例した大きさで、前記第２の画像群に含まれる各画像を前記表示画面に表示させる
ことを特徴とする請求項１に記載の画像検索装置。
【請求項８】
前記第４の表示制御手段は、
前記第２の表示制御手段が前記表示画面に表示する前記第２の画像群に含まれる各画像と前記主画像との近さが、前記第２の画像群に含まれる各画像が前記表示画面に過去に表示された回数に比例した近さになるように制御する
ことを特徴とする請求項１に記載の画像検索装置。
【請求項９】
前記第４の表示制御手段は、
前記第２の画像群に含まれる各画像が前記表示画面に前回表示された時点からの経過時間に反比例した大きさで、前記第２の画像群に含まれる各画像を前記表示画面に表示させる
ことを特徴とする請求項１に記載の画像検索装置。
【請求項１０】
画像を表示画面に表示する表示手段と、
１以上の検索情報をそれぞれ有する複数の画像が格納されたホルダであるアルバムを複数記憶する記憶手段と、
前記記憶手段が記憶している前記複数のアルバムの中から、特定のアルバムを選択するアルバム選択手段と、
前記表示手段に、前記アルバム選択手段が選択した特定のアルバムが格納している第１の画像群を前記表示画面に表示させる第１の表示制御手段と、
前記記憶手段が記憶している前記複数の画像の中から、第１の表示制御手段が前記表示画面に表示している前記第１の画像群のうちで前記表示画面の中央に表示される主画像が有する検索情報を有する第２の画像群を検索する第２の検索手段と、
前記表示手段に、前記第２の検索手段が検索した前記第２の画像群を前記表示画面に表示させる第２の表示制御手段と、
を備えること特徴とする画像検索装置。
【請求項１１】
前記第２の表示制御手段が前記表示画面に表示している前記第２の画像群を含む前記アルバムを新たに生成するアルバム生成手段を、
を備えること特徴とする請求項９に記載の画像検索装置。
【請求項１２】
画像を表示画面に表示する表示手段と、
１以上の検索情報をそれぞれ有する複数の画像を記憶する記憶手段と、
を有するコンピュータを、
前記記憶手段が記憶している前記複数の画像の中から、特定の検索情報を有する第１の画像群を検索する第１の検索手段、
前記表示手段に、前記第１の検索手段が検索した前記第１の画像群を前記表示画面に表示させる第１の表示制御手段、
前記記憶手段が記憶している前記複数の画像の中から、第１の表示制御手段が前記表示画面に表示している前記第１の画像群のうちで前記表示画面の中央に表示される主画像が有する検索情報を有する第２の画像群を検索する第２の検索手段、
前記表示手段に、前記第２の検索手段が検索した前記第２の画像群を前記表示画面に表示させる第２の表示制御手段、
として機能させる画像検索プログラム。
【請求項１３】
画像を表示画面に表示する表示手段、
１以上の検索情報をそれぞれ有する複数の画像が格納されたホルダであるアルバムを複数記憶する記憶手段、
を有するコンピュータを、
前記記憶手段が記憶している前記複数のアルバムの中から、特定のアルバムを選択するアルバム選択手段、
前記表示手段に、前記アルバム選択手段が選択した特定のアルバムが格納している第１の画像群を前記表示画面に表示させる第１の表示制御手段、
前記記憶手段が記憶している前記複数の画像の中から、第１の表示制御手段が前記表示画面に表示している前記第１の画像群のうちで前記表示画面の中央に表示される主画像が有する検索情報を有する第２の画像群を検索する第２の検索手段、
前記表示手段に、前記第２の検索手段が検索した前記第２の画像群を前記表示画面に表示させる第２の表示制御手段、
として機能させる画像検索プログラム。
【手続補正２】
【補正対象書類名】明細書
【補正対象項目名】発明の名称
【補正方法】変更
【補正の内容】
【発明の名称】画像検索装置、画像検索プログラム
【手続補正３】
【補正対象書類名】明細書
【補正対象項目名】０００１
【補正方法】変更
【補正の内容】
【０００１】
本発明は、画像を検索して表示する画像検索装置、画像検索プログラムに関する。
【手続補正４】
【補正対象書類名】明細書
【補正対象項目名】０００５
【補正方法】変更
【補正の内容】
【０００５】
本発明は、かかる従来の課題に鑑みてなされたものであり、ユーザの漠然とした検索要求に応じた画像を検索して表示することのできる画像検索装置、画像検索プログラムを提供することを目的とする。
【手続補正５】
【補正対象書類名】明細書
【補正対象項目名】０００６
【補正方法】変更
【補正の内容】
【０００６】
本発明の第一の観点に係る画像検索装置は、
画像を表示画面に表示する表示手段と、
１以上の検索情報をそれぞれ有する複数の画像を記憶する記憶手段と、
前記記憶手段が記憶している前記複数の画像の中から、前記複数の画像の中から特定の検索情報を有する第１の画像群を検索する第１の検索手段と、
前記表示手段に、前記第１の検索手段が検索した前記第１の画像群を前記表示画面に表示させる第１の表示制御手段と、
前記記憶手段が記憶している前記複数の画像の中から、第１の表示制御手段が前記表示画面に表示している前記第１の画像群のうちで前記表示画面の中央に表示される主画像が有する検索情報を有する第２の画像群を検索する第２の検索手段と、
前記表示手段に、前記第２の検索手段が検索した前記第２の画像群を前記表示画面に表示させる第２の表示制御手段と、
を備える。
【手続補正６】
【補正対象書類名】明細書
【補正対象項目名】０００７
【補正方法】変更
【補正の内容】
【０００７】
本発明の第二の観点に係る画像検索装置は、
画像を表示画面に表示する表示手段と、
１以上の検索情報をそれぞれ有する複数の画像が格納されたホルダであるアルバムを複数記憶する記憶手段と、
前記記憶手段が記憶している前記複数のアルバムの中から、特定のアルバムを選択するアルバム選択手段と、
前記表示手段に、前記アルバム選択手段が選択した特定のアルバムが格納している第１の画像群を前記表示画面に表示させる第１の表示制御手段と、
前記記憶手段が記憶している前記複数の画像の中から、第１の表示制御手段が前記表示画面に表示している前記第１の画像群のうちで前記表示画面の中央に表示される主画像が有する検索情報を有する第２の画像群を検索する第２の検索手段と、
前記表示手段に、前記第２の検索手段が検索した前記第２の画像群を前記表示画面に表示させる第２の表示制御手段と、
を備える。
【手続補正７】
【補正対象書類名】明細書
【補正対象項目名】０００８
【補正方法】変更
【補正の内容】
【０００８】
本発明の第三の観点に係る画像検索プログラムは、
画像を表示画面に表示する表示手段と、
１以上の検索情報をそれぞれ有する複数の画像を記憶する記憶手段と、
を有するコンピュータを、
前記記憶手段が記憶している前記複数の画像の中から、特定の検索情報を有する第１の画像群を検索する第１の検索手段、
前記表示手段に、前記第１の検索手段が検索した前記第１の画像群を前記表示画面に表示させる第１の表示制御手段、
前記記憶手段が記憶している前記複数の画像の中から、第１の表示制御手段が前記表示画面に表示している前記第１の画像群のうちで前記表示画面の中央に表示される主画像が有する検索情報を有する第２の画像群を検索する第２の検索手段、
前記表示手段に、前記第２の検索手段が検索した前記第２の画像群を前記表示画面に表示させる第２の表示制御手段、
として機能させる。
【手続補正８】
【補正対象書類名】明細書
【補正対象項目名】０００９
【補正方法】変更
【補正の内容】
【０００９】
本発明の第四の観点に係る画像検索プログラムは、
画像を表示画面に表示する表示手段、
１以上の検索情報をそれぞれ有する複数の画像が格納されたホルダであるアルバムを複数記憶する記憶手段、
を有するコンピュータを、
前記記憶手段が記憶している前記複数のアルバムの中から、特定のアルバムを選択するアルバム選択手段、
前記表示手段に、前記アルバム選択手段が選択した特定のアルバムが格納している第１の画像群を前記表示画面に表示させる第１の表示制御手段、
前記記憶手段が記憶している前記複数の画像の中から、第１の表示制御手段が前記表示画面に表示している前記第１の画像群のうちで前記表示画面の中央に表示される主画像が有する検索情報を有する第２の画像群を検索する第２の検索手段、
前記表示手段に、前記第２の検索手段が検索した前記第２の画像群を前記表示画面に表示させる第２の表示制御手段、
として機能させる。
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】変更
【補正の内容】
【００２７】
本発明によれば、ユーザが所望する画像を予め明確に意図せず、ユーザの検索要求が漠然としており、画像を見るに従って検索要求を明瞭化させていく検索形態であっても、効率的な画像検索を行うことができる。